【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
ハウジングと、該ハウジング内に固定され、該ハウジングとの間に吐出室を形成する固定スクロールと、該ハウジング内で公転軸周りで公転のみ可能に支持され、該固定スクロールとの間に圧縮室を形成する可動スクロールと、該ハウジング内に固定され、該可動スクロールとの間に背圧室を形成するとともに該ハウジングとの間に吸入室を形成する軸支部材とを備えたスクロール型圧縮機において、
前記固定スクロールは、固定基板と、該固定基板と一体をなす固定渦巻壁とを有し、
前記可動スクロールは、該固定基板と対面する可動基板と、該可動基板と一体をなし、該固定渦巻壁に噛み合わされる可動渦巻壁とを有し、
該可動スクロールには、該可動渦巻壁の先端面に開き、前記圧縮室と連通可能な流入口と、該可動基板に形成されて前記背圧室に連通する流出口と、該流入口と該流出口とを連通させる連通孔とからなり、該可動スクロールの弾性変形又は前記公転軸方向の変位によって該圧縮室を該背圧室に連通させる給気通路が形成され、
前記可動スクロールは、ラジアル軸受を介して前記公転軸回りで回転するブッシュに支持され、
前記連通孔は、前記公転軸方向で前記可動渦巻壁及び前記可動基板に真っ直ぐに貫設されて前記流入口と前記流出口とを連通させており、
前記流出口は、前記背圧室のうち、前記ラジアル軸受によって囲まれた部分に連通していることを特徴とするスクロール型圧縮機。
【請求項２】
前記可動渦巻壁の先端面は前記固定基板と直接摺接している請求項１記載のスクロール型圧縮機。
【請求項３】
前記流入口は、前記連通孔の前記固定基板側がザグリ加工されることにより形成されている請求項１又は２記載のスクロール型圧縮機。
【請求項４】
前記流出口は、前記連通孔の前記背圧室側がザグリ加工されることにより形成されている請求項１乃至３のいずれか１項記載のスクロール型圧縮機。
【請求項５】
前記流入口、前記連通孔及び前記流出口は前記公転軸方向に整列している請求項１乃至４のいずれか１項記載のスクロール型圧縮機。
【請求項６】
前記流入口は、前記可動渦巻壁の厚み方向で、前記固定渦巻壁の内終端部側に偏っている請求項１乃至５のいずれか１項記載のスクロール型圧縮機。
【請求項７】
前記流入口は、前記可動渦巻壁の厚み方向を短辺の方向とする長穴形状とされている請求項１乃至６のいずれか１項記載のスクロール型圧縮機。
【請求項８】
前記吐出室と前記背圧室とは副給気通路によって連通している請求項１乃至７のいずれか１項記載のスクロール型圧縮機。
【請求項９】
前記吐出室内には冷媒ガスと潤滑油とを分離するオイルセパレータが設けられ、
前記副給気通路は該吐出室内で該冷媒ガスと分離された該潤滑油を前記背圧室に供給する請求項８記載のスクロール型圧縮機。
【請求項１０】
前記吐出室内には冷媒ガスと潤滑油とを分離するオイルセパレータが設けられ、
前記副給気通路は該吐出室内で該潤滑油と分離された該冷媒ガスを前記背圧室に供給する請求項８記載のスクロール型圧縮機。
【請求項１１】
前記流入口は、前記可動渦巻壁の内終端部の先端面に開いている請求項１乃至１０のいずれか１項記載のスクロール型圧縮機。
【請求項１２】
前記流入口は、前記可動渦巻壁の内終端部の先端面の中心部に開いている請求項１乃至１１のいずれか１項記載のスクロール型圧縮機。
【請求項１３】
前記可動渦巻壁の前記先端面には、前記流入口と前記圧縮室とを常時連通させる流入凹部が凹設されている請求項１乃至１２のいずれか１項記載のスクロール型圧縮機。
【請求項１４】
前記固定基板には、前記圧縮室と前記吐出室とを連通させる吐出ポートが貫設され、
前記可動スクロールの公転に伴う前記流入口の軌跡の一部が前記吐出ポートと重なっている請求項１乃至１３のいずれか１項記載のスクロール型圧縮機。
【手続補正２】
【補正対象書類名】明細書
【補正対象項目名】００１３
【補正方法】変更
【補正の内容】
【００１３】
本発明のスクロール型圧縮機は、ハウジングと、該ハウジング内に固定され、該ハウジングとの間に吐出室を形成する固定スクロールと、該ハウジング内で公転軸周りで公転のみ可能に支持され、該固定スクロールとの間に圧縮室を形成する可動スクロールと、該ハウジング内に固定され、該可動スクロールとの間に背圧室を形成するとともに該ハウジングとの間に吸入室を形成する軸支部材とを備えたスクロール型圧縮機において、
前記固定スクロールは、固定基板と、該固定基板と一体をなす固定渦巻壁とを有し、
前記可動スクロールは、該固定基板と対面する可動基板と、該可動基板と一体をなし、該固定渦巻壁に噛み合わされる可動渦巻壁とを有し、
該可動スクロールには、該可動渦巻壁の先端面に開き、前記圧縮室と連通可能な流入口と、該可動基板に形成されて前記背圧室に連通する流出口と、該流入口と該流出口とを連通させる連通孔とからなり、該可動スクロールの弾性変形又は前記公転軸方向の変位によって該圧縮室を該背圧室に連通させる給気通路が形成され、
前記可動スクロールは、ラジアル軸受を介して前記公転軸回りで回転するブッシュに支持され、
前記連通孔は、前記公転軸方向で前記可動渦巻壁及び前記可動基板に真っ直ぐに貫設されて前記流入口と前記流出口とを連通させており、
前記流出口は、前記背圧室のうち、前記ラジアル軸受によって囲まれた部分に連通していることを特徴とする。
【手続補正３】
【補正対象書類名】明細書
【補正対象項目名】００２０
【補正方法】変更
【補正の内容】
【００２０】
本発明のスクロール型圧縮機において、流入口は、可動渦巻壁の内終端部の先端面に開いていることが好ましい。可動渦巻壁の内終端部とは、可動スクロールの中心に向かって渦巻状に収束する可動渦巻壁の内側の終端部のことである。可動スクロールが公転軸周りで公転して、固定基板、固定渦巻壁、可動基板及び可動渦巻壁によって区画された圧縮室が可動渦巻壁の内終端部近傍まで移動すると、圧縮室内の冷媒ガスは吐出圧力又は吐出圧力近くまで圧縮される。
【手続補正４】
【補正対象書類名】明細書
【補正対象項目名】００２２
【補正方法】変更
【補正の内容】
【００２２】
本発明のスクロール型圧縮機は、可動渦巻壁の先端面が固定基板と直接摺接していることが好ましい。この場合、可動渦巻壁の先端面に弾性シール部材が設けられないことから、可動スクロールが弾性変形したり、公転軸方向に変位したりすれば、吐出圧力又は吐出圧力近くまで圧縮された冷媒ガスが速やかに背圧室に供給される。このため、圧縮効率を確実に向上させることができる。
【手続補正５】
【補正対象書類名】明細書
【補正対象項目名】００２３
【補正方法】変更
【補正の内容】
【００２３】
本発明のスクロール型圧縮機において、流入口は、連通孔の固定基板側がザグリ加工されることにより形成されていることが好ましい。この場合、連通孔を小径として給気通路の絞り機能を確保したままで、流入口を容易に大径化できる。このため、連通孔自体を大径化する場合と比較して、連通孔が形成される可動渦巻壁の強度（特に根元部分の強度）が低下し難い。また、大径のザグリ用工具（ドリルやエンドミル等。）により流入口を形成した後、小径の穴開け工具により連通孔を形成する２段加工を行うことにより、小径の連通孔の加工長さを短くできる。このため、工具の破損や、タクトタイムの増大を抑制でき、その結果として、製造コストの高騰を抑制できる。
【手続補正６】
【補正対象書類名】明細書
【補正対象項目名】００２４
【補正方法】変更
【補正の内容】
【００２４】
本発明のスクロール型圧縮機において、流出口は、連通孔の背圧室側がザグリ加工されることにより形成されていることが好ましい。この場合、連通孔を小径として給気通路の絞り機能を確保したままで、流出口を容易に大径化できる。このため、連通孔自体を大径化する場合と比較して、連通孔が形成される可動渦巻壁の強度（特に根元部分の強度）が低下し難い。また、大径のザグリ用工具により流出口を形成した後、小径の穴開け工具により連通孔を形成する２段加工を行うことにより、小径の連通孔の加工長さを短くできる。このため、工具の破損や、タクトタイムの増大を抑制でき、その結果として、製造コストの高騰を抑制できる。
【手続補正７】
【補正対象書類名】明細書
【補正対象項目名】００２５
【補正方法】変更
【補正の内容】
【００２５】
本発明のスクロール型圧縮機において、吐出室と背圧室とは副給気通路によって連通していることが好ましい。この場合、吐出室内の冷媒ガスが副給気通路によって常時背圧室に供給されるので、背圧室内の背圧が低下し難い。このため、圧縮室内の冷媒ガスが給気通路を介して背圧室に供給される機会を減らすことができ、圧縮効率が一層向上する。
【手続補正８】
【補正対象書類名】明細書
【補正対象項目名】００２６
【補正方法】変更
【補正の内容】
【００２６】
上記の場合において、吐出室内には冷媒ガスと潤滑油とを分離するオイルセパレータが設けられ、副給気通路は吐出室内で冷媒ガスと分離された潤滑油を背圧室に供給することが好ましい。副給気通路が背圧室に潤滑油を供給することにより、背圧室に面する摺動箇所の摩耗を抑制できるので、耐久性が向上する。
【手続補正９】
【補正対象書類名】明細書
【補正対象項目名】００２７
【補正方法】変更
【補正の内容】
【００２７】
また、上記の場合において、吐出室内には冷媒ガスと潤滑油とを分離するオイルセパレータが設けられ、副給気通路は吐出室内で潤滑油と分離された冷媒ガスを背圧室に供給することが好ましい。副給気通路が背圧室に冷媒ガスを供給することにより、流動抵抗の大きな潤滑油を供給する場合と比較して、迅速に背圧室の圧力低下を解消できる。
【手続補正１０】
【補正対象書類名】明細書
【補正対象項目名】００２８
【補正方法】変更
【補正の内容】
【００２８】
本発明のスクロール型圧縮機において、可動渦巻壁の先端面には、流入口と圧縮室とを常時連通させる流入凹部が凹設されていることが好ましい。この場合、圧縮室内の冷媒ガスが流入凹部により常時背圧室に供給されるので、背圧室内の背圧が低下し難い。流入凹部は、例えば、溝であってよいし、粗面であってもよい。
【手続補正１１】
【補正対象書類名】明細書
【補正対象項目名】００２９
【補正方法】変更
【補正の内容】
【００２９】
本発明のスクロール型圧縮機において、固定基板には、圧縮室と吐出室とを連通させる吐出ポートが貫設され、可動スクロールの公転に伴う流入口の軌跡の一部が吐出ポートと重なっていることが好ましい。この場合、可動スクロールの公転に伴って、流入口と吐出ポートとが周期的に連通する。このため、圧縮室内で吐出圧力まで圧縮された冷媒ガスが周期的に吐出ポート及び給気経路を介して背圧室に供給されるので、背圧室内の背圧が低下し難い。吐出ポートは拡径された円穴でもよいし、流入口の軌跡の一部と重なる方向に延びる切り欠きを有していてもよい。
【手続補正１２】
【補正対象書類名】明細書
【補正対象項目名】００３０
【補正方法】変更
【補正の内容】
【００３０】
本発明のスクロール型圧縮機において、流入口は、可動渦巻壁の内終端部の先端面の中心部に開いていることが好ましい。
【手続補正１３】
【補正対象書類名】明細書
【補正対象項目名】００３３
【補正方法】変更
【補正の内容】
【００３３】
流入口、連通孔及び流出口は公転軸方向に整列していることが好ましい。この場合、このスクロール型圧縮機は、給気通路を容易に加工できるので、製造コストの一層の低廉化が図れる。また、可動スクロールの中心側に１本の穴を形成するだけでよいので、可動スクロールの外周縁に環状溝を形成する従来技術と比較して、装置の小型化も図れる。
【手続補正１４】
【補正対象書類名】明細書
【補正対象項目名】００３４
【補正方法】変更
【補正の内容】
【００３４】
流入口は、可動渦巻壁の厚み方向で、固定渦巻壁の内終端部側に偏っていることが好ましい。
【手続補正１５】
【補正対象書類名】明細書
【補正対象項目名】００３６
【補正方法】変更
【補正の内容】
【００３６】
ここで、内終端部の先端面の中心部に開く流入口が可動渦巻壁の厚み方向で、固定渦巻壁の内終端部側に偏っている場合、固定基板と可動渦巻壁の内終端部の先端面とが離間する際、流入口と次の１対の圧縮室との間を封止するオイルシールに対して、流入口と中央の１つの圧縮室との間を封止するオイルシールのほうがシール幅が狭く、オイルシールが破壊され易い。このため、流入口に、圧縮室内で吐出圧力まで圧縮された冷媒ガスを確実に流入させることができ、次の１対の圧縮室側に冷媒ガスが漏れる不具合が生じ難くなる。その結果、このスクロール型圧縮機は、全回転域において圧縮性能を向上させることができ、特に、吐出容量が低いため上記漏れが圧縮性能に大きく影響を及ぼす低回転域での圧縮性能を著しく向上させることができる。
【手続補正１６】
【補正対象書類名】明細書
【補正対象項目名】００３７
【補正方法】変更
【補正の内容】
【００３７】
流入口は、可動渦巻壁の厚み方向を短辺の方向とする長穴形状とされていることが好ましい。この場合、真円形状とされた流入口と比較して、固定基板と可動渦巻壁の内終端部の先端面とが離間した瞬間に流入口と圧縮室とが連通する範囲の幅（可動渦巻壁の厚み方向と直交する方向の幅。）を広くできる。このため、冷媒ガスが圧縮室から流入口を介して背圧室に供給され易くなるため、背圧室を迅速に加圧できる。
【手続補正１７】
【補正対象書類名】明細書
【補正対象項目名】００７０
【補正方法】変更
【補正の内容】
【００７０】
図５及び図６に示すように、実施例２のスクロール型圧縮機において、流入口２５１は、可動渦巻壁２２ｂにおいて、内終端部２２ｃの先端面２２ｆの中心部に開いている。流入口２５１は、連通孔５３の基壁１６ａ側をエンドミル等でザグリ加工することによって、長円形状に凹設されている。流入口２５１は、連通孔５３の中心軸に対して偏心しており、可動渦巻壁２２ｂの厚み方向Ｔで、固定渦巻壁１６ｄの内終端部１６ｅ側に偏っている。
【手続補正１８】
【補正対象書類名】明細書
【補正対象項目名】００７２
【補正方法】変更
【補正の内容】
【００７２】
また、このスクロール型圧縮機では、基壁１６ａと可動渦巻壁２２ｂの内終端部２２ｃの先端面２２ｆとが離間する際、可動渦巻壁２２ｂの厚み方向Ｔで、固定渦巻壁１６ｄの内終端部１６ｅ側に偏っている流入口２５１と１対の圧縮室３８ｂとの間を封止するオイルシールＱ２に対して、流入口２５１と中央の１つの圧縮室３８ａとの間を封止するオイルシールＱ１のほうがシール幅が狭く、オイルシールＱ１が破壊され易い。このため、流入口２５１に、圧縮室３８ａ内で吐出圧力まで圧縮された冷媒ガスを確実に流入させることができ、１対の圧縮室３８ｂ側に冷媒ガスが漏れる不具合が生じ難くなる。その結果、このスクロール型圧縮機は、図７に示すように、実施例１のスクロール型圧縮機１と比較して、全回転域において圧縮性能を向上させることができ、特に、吐出容量が低いため上記漏れが圧縮性能に大きく影響を及ぼす低回転域での圧縮性能を著しく向上させることができる。
【手続補正１９】
【補正対象書類名】明細書
【補正対象項目名】００７３
【補正方法】変更
【補正の内容】
【００７３】
さらに、このスクロール型圧縮機において、流入口２５１は、連通孔５３の固定基板１６ｃ側がザグリ加工されることにより形成されている。このため、連通孔５３を小径として給気通路５０の絞り機能を確保したままで、流入口２５１を容易に大径化できる。また、可動渦巻壁２２ｂの厚み方向Ｔで、固定渦巻壁１６ｄの内終端部１６ｅ側に連通孔自体を偏らせる必要がなくなる。その結果として、このスクロール型圧縮機は、製造コストの高騰を抑制できる。
【手続補正２０】
【補正対象書類名】明細書
【補正対象項目名】００７４
【補正方法】変更
【補正の内容】
【００７４】
また、このスクロール型圧縮機において、流入口２５１は、可動渦巻壁２２ｂの厚み方向Ｔを短辺の方向とする長穴形状とされている。このため、流入口２５１の短辺を直径とする真円形状の流入口と比較して、固定基板１６ｃと可動渦巻壁２２ｂの内終端部２２ｃの先端面２２ｆとが離間した瞬間に流入口２５１と圧縮室３８ａとが連通する範囲の幅Ｗ（図６に示すように、可動渦巻壁２２ｂの厚み方向Ｔと直交する方向の幅Ｗ。）を広くできる。このため、冷媒ガスが圧縮室３８ａから流入口２５１を介して背圧室３９に供給され易くなるため、背圧室３９を迅速に加圧できる。